(57)【要約】【課題】通常は平面型表示装置を天井に収納し、必要なときには迅速に設置できる平面型表示装置用天吊り装置を提供することを目的としている。【解決手段】天井に固定された固定金具１の間に回動アーム５が配置されており、回動アーム５の中心には金属軸５ａが挿通され、金属軸５ａの両端はそれぞれの固定金具１に固定されている。伸縮アーム２には、所定の伸縮位置で係止または係止の解除を行なう伸縮係止部２ａと、仰角アーム８に取付台４を所定の仰角で係止または係止の解除を行なう仰角係止部２ｂと、仰角係止部２ｂと伸縮係止部２ａとにワイヤ１４で接続された牽引把手１２とが設けられており、牽引把手１２の牽引で係止の解除を行ない、牽引把手１２の開放で係止を行なう構造となっている。【選択図】　図３
2004053708.tif 000002
【特許請求の範囲】
【請求項１】
天井に固定された固定金具と、同固定金具に軸支された円柱形の回動アームと同回動アームから垂直に立設され、天井面と水平から垂直に回動する円筒形の外アームと同外アームの内側に回転および長手方向に摺動自在な円筒形の内アームと同内アームの先端に天井面と平行に設けられた円筒形の仰角アームとで構成される伸縮アームと、同仰角アームの両端に同仰角アームと回転自在に摺動する摺動部を備え、同摺動部が一方の面にそれぞれ固定され、他方の面に平面型表示装置の背面が取り付けられ、同平面型表示装置の仰角方向に回動する取付台とからなり、
前記伸縮アームに所定の伸縮位置で係止または係止の解除を行なう伸縮係止部と、前記仰角アームに前記取付台を所定の仰角で係止または係止の解除を行なう仰角係止部と、同仰角係止部と前記伸縮係止部とにワイヤで接続された牽引把手とを前記伸縮アームの先端に設け、同牽引把手の牽引で係止の解除を行ない、前記牽引把手の開放で係止を行なう構造からなることを特徴とする平面型表示装置用天吊り装置。
【請求項２】
前記固定金具に係合部と、前記牽引把手に同係合部と対応する係止爪とを設け、前記伸縮アームを収縮させるとともに、天井と平行となる位置まで回動させ、前記係止爪が前記係合部に係止されることにより前記伸縮アームが前記固定金具に係止され、また、前記牽引把手を牽引することにより前記伸縮アームが前記固定金具より開放されてなることを特徴とする請求項１記載の平面型表示装置用天吊り装置。
【請求項３】
前記伸縮係止部は、前記外アームの内壁に円周状に設けられた複数の溝と、前記内アームに備えられ、前記溝に対応したスリットと、同スリット内を前記ワイヤの制御により前記内アームの内周または外周方向に摺動して前記溝と嵌合し、バネにより前記内アームの外周方向に付勢された係止片とからなることを特徴とする請求項１記載の平面型表示装置用天吊り装置。
【請求項４】
前記外アームの円周面の前記溝を断面歯車状に形成し、前記内アームが円周方向に回転したとき、前記係止片により所定の角度で係止されてなることを特徴とする請求項３記載の平面型表示装置用天吊り装置。
【請求項５】
前記仰角係止部は、前記仰角アームの端面と対応する前記摺動部端面に円周状に設けられた断面歯車状の溝と、前記仰角アームの端面に備えられ、直径方向で対向する前記溝に対応したスリットと、同スリット内を前記ワイヤの制御により前記摺動部端面または前記仰角アームの内部方向に摺動して前記溝と嵌合し、バネにより前記摺動部端面方向に付勢された係止片とからなることを特徴とする請求項１記載の平面型表示装置用天吊り装置。
【請求項６】
前記内アームの基端部は前記外アーム内部でバネにより前記回動アームに張架されてなることを特徴とする請求項１記載の平面型表示装置用天吊り装置。
【請求項７】
前記牽引把手を人の手先が挿入される略楕円状に形成し、前記牽引把手を取り巻いて前記伸縮アームの先端に固定されたコ字型の把手を設けてなることを特徴とする請求項１記載の平面型表示装置用天吊り装置。
【発明の詳細な説明】
【０００１】
【発明の属する技術分野】
本発明は、平面型表示装置の設置装置に係わり、より詳細には、ホール等の天井面から吊り下げられた平面型表示装置を、未使用時に天井に格納可能な平面型表示装置用天吊り装置に関する。
【０００２】
【従来の技術】
従来、ホールの天井（図示せず）などに取り付けられる平面型表示装置、例えばプラズマディスプレイ装置などの天吊り装置は、例えば図７に示す構造であった。この天吊り装置は天井８０にネジ８１で固定するための挿通孔８２を四隅に備えた矩形の鋼板８３と、この鋼板８３の中央から立設された円筒形の外アーム８４と、外アーム８４の内部を摺動して伸縮する内アーム８５と、内アーム８５の先端に天井面と平行に設けられた仰角アーム８６と、仰角アーム８６の両端に同仰角アーム８６と回転自在に摺動する摺動部８７を備え、同摺動部８７が一方の面にそれぞれ固定され、他方の面に平面型表示装置８８の背面が取り付けられ、同平面型表示装置８８の仰角方向に回動する取付台８９とで構成されている。外アーム８４の先端外周にはネジ孔９０が備えられており、外アーム８４内に内アーム８５を差し入れ、必要な長さに伸縮させ、また同時に内アーム８５を円周方向に回転させて平面型表示装置８８の左右の角度を決定し、このネジ孔９０にネジ９１を螺着することにより内アーム８５を外アーム８４に固定する。
そして、取付台８９の仰角を調整し、摺動部８７の外側に備えられたレバー９２を回動させることにより、摺動部８７を仰角アーム８６の端面に押圧させ、その摩擦により仰角アーム８６と取付台８９とを固定する。
【０００３】
しかしながら、一度設置された平面型表示装置の天吊り装置は、基本的に固定されたままであり、ホールを平面型表示装置を使用しない用途、例えば絵や書画の展覧会などに使用した場合、天井に設置された平面型表示装置やその天吊り装置が視界を遮り、来場者に不快な思いをさせたりしていた。
このため、通常は平面型表示装置を天井に収納し、必要なときには迅速に設置できる平面型表示装置用天吊り装置が望まれていた。
【０００４】
【発明が解決しようとする課題】
本発明は以上述べた問題点を解決し、通常は平面型表示装置を天井に収納し、必要なときには迅速に設置できる平面型表示装置用天吊り装置を提供することを目的としている。
【０００５】
【課題を解決するための手段】
本発明は、上記問題点を解決するため、天井に固定された固定金具と、同固定金具に軸支された円柱形の回動アームと同回動アームから垂直に立設され、天井面と水平から垂直に回動する円筒形の外アームと同外アームの内側に回転および長手方向に摺動自在な円筒形の内アームと同内アームの先端に天井面と平行に設けられた円筒形の仰角アームとで構成される伸縮アームと、同仰角アームの両端に同仰角アームと回転自在に摺動する摺動部を備え、同摺動部が一方の面にそれぞれ固定され、他方の面に平面型表示装置の背面が取り付けられ、同平面型表示装置の仰角方向に回動する取付台とからなり、
前記伸縮アームに所定の伸縮位置で係止または係止の解除を行なう伸縮係止部と、前記仰角アームに前記取付台を所定の仰角で係止または係止の解除を行なう仰角係止部と、同仰角係止部と前記伸縮係止部とにワイヤで接続された牽引把手とを前記伸縮アームの先端に設け、同牽引把手の牽引で係止の解除を行ない、前記牽引把手の開放で係止を行なう構造とする。
【０００６】
また、前記固定金具に係合部と、前記牽引把手に同係合部と対応する係止爪とを設け、前記伸縮アームを収縮させるとともに、天井と平行となる位置まで回動させ、前記係止爪が前記係合部に係止されることにより前記伸縮アームが前記固定金具に係止され、また、前記牽引把手を牽引することにより前記伸縮アームが前記固定金具より開放される構造とする。
【０００７】
また、前記伸縮係止部は、前記外アームの内壁に円周状に設けられた複数の溝と、前記内アームに備えられ、前記溝に対応したスリットと、同スリット内を前記ワイヤの制御により前記内アームの内周または外周方向に摺動して前記溝と嵌合し、バネにより前記内アームの外周方向に付勢された係止片とする。
【０００８】
また、前記外アームの円周面の前記溝を断面歯車状に形成し、前記内アームが円周方向に回転したとき、前記係止片により所定の角度で係止される構造とする。
【０００９】
また、前記仰角係止部は、前記仰角アームの端面と対応する前記摺動部端面に円周状に設けられた断面歯車状の溝と、前記仰角アームの端面に備えられ、直径方向で対向する前記溝に対応したスリットと、同スリット内を前記ワイヤの制御により前記摺動部端面または前記仰角アームの内部方向に摺動して前記溝と嵌合し、バネにより前記摺動部端面方向に付勢された係止片とする。
【００１０】
また、前記内アームの基端部は前記外アーム内部でバネにより前記回動アームに張架されてる構造とする。
【００１１】
また、前記牽引把手を人の手先が挿入される略楕円状に形成し、前記牽引把手を取り巻いて前記伸縮アームの先端に固定されたコ字型の把手を設ける。
【００１２】
【発明の実施の形態】
以下、図面に基づいて本発明による平面型表示装置用天吊り装置を詳細に説明する。
図１は本発明による平面型表示装置用天吊り装置の一実施例を示す斜視図である。この天吊り装置は、天井（図示せず）に固定され、間隔をあけて対向させた断面Ｌ字型の固定金具１と、固定金具１に一方を回動自在に軸支された略Ｈ字型のパイプからなる伸縮アーム２と、伸縮アーム２の他方に回動自在に軸支された平面型表示装置３の取付台４とから構成されている。
伸縮アーム２は、固定金具１に軸支された円柱形の回動アーム５と、回動アーム５の長手方向の中央から垂直に立設され、天井面と水平から垂直に回動する円筒形の外アーム６と、外アーム６の内側に配設され、円周方向の回転および長手方向に摺動自在な円筒形の内アーム７と、内アーム７の先端に天井面と平行に設けられた円筒形の仰角アーム８とで構成されている。
仰角アーム８の両端には、仰角アーム８と回転自在に摺動する摺動部９が備えられており、摺動部９はそれぞれ取付台４に固定されている。この取付台４は略Ｈ字型の鋼板からなり、一方の面に摺動部９が、他方の面には平面型表示装置３の背面がネジ１０により取り付けられる構造となっている。従って、取付台４は平面型表示装置３の仰角方向に回動する。
また、固定金具１と外アーム６とは一対のバネ１１で張架されており、伸縮アーム２が固定金具１より開放されたとき、伸縮アーム２と平面型表示装置３との重量により一気に回動することを防止している。
【００１３】
内アーム７の先端の仰角アーム８には、後述する牽引把手１２と、牽引把手１２を取り巻いて仰角アーム８に固定されたコ字型の把手１３とが設けられている。牽引把手１２は人の手先が挿入される略楕円状に形成されている。
また、図６に示すように牽引把手１２には、伸縮アーム２を天井面に回動した時、天井面となる方向に鉤型の係止爪１２ａが立設されている。一方、この係止爪１２ａと対応し、２つの固定金具１に係合部として金属棒が１ａ渡されており、伸縮アーム２を収縮させるとともに、天井と平行となる位置まで回動させ、係止爪１２ａが金属棒１ａに係止されることにより伸縮アーム２が固定金具１に係止され、また、牽引把手１２を牽引することにより伸縮アーム２が固定金具１より開放される構造となっている。
【００１４】
次に図３の断面図を用いて伸縮アームの構造を詳細に説明する。
天井に固定された固定金具１の間に回動アーム５が配置されており、回動アーム５の中心には金属軸５ａが挿通され、金属軸５ａの両端はそれぞれの固定金具１に固定されている。従って伸縮アーム２全体はこの金属軸５ａを中心にして、天井面と平行な位置から天井面と垂直となる位置まで回動する。
伸縮アーム２には、所定の伸縮位置で係止または係止の解除を行なう伸縮係止部２ａと、仰角アーム８に取付台４を所定の仰角で係止または係止の解除を行なう仰角係止部２ｂと、仰角係止部２ｂと伸縮係止部２ａとにワイヤ１４で接続された牽引把手１２とが設けられており、牽引把手１２の牽引で係止の解除を行ない、牽引把手１２の開放で係止を行なう構造となっている。
【００１５】
このワイヤ１４は自転車に使用されるブレーキワイヤと同じ構造であり、ワイヤ１４の周りをフレキシブルなチューブが覆い、ワイヤ１４はこのチューブの内部を摺動する構造となっている。このワイヤ１４の一端は前述の仰角係止部２ｂと伸縮係止部２ａとに接続されており、それぞれのワイヤ１４のチューブ他端は仰角アーム８内に配設された断面コ字型の隔壁８ａに当接し、内部のワイヤ１４は隔壁８ａの挿通孔を挿通して隔壁８ａ内部の接続板８ｂに固定されている。
接続板８ｂは隔壁８ａ内部で摺動する構造となっており、接続板８ｂの中心には牽引把手１２から延出した牽引棒１２ｂが固定されている。従って牽引把手１２が摺動するとワイヤ１４が同時に摺動する。
【００１６】
伸縮係止部２ａは、外アーム６の内壁に円周状に設けられた複数の溝６ａと、内アーム７に備えられ、溝６ａに対応したスリット７ａと、スリット７ａ内をワイヤ１４の制御により内アーム７の内周または外周方向に摺動して溝６ａと嵌合し、バネ７ｂにより内アーム７の外周方向に付勢された係止片７ｃとから構成されている。内アーム７の内部には断面コ字型の隔壁７ｄが設けられており、係止片７ｃはこの隔壁７ｄと溝６ａとの間で摺動する。またバネ７ｂは隔壁７ｄの内側と係止片７ｃの端部との間に配置されており、係止片７ｃの端部には、隔壁７ｄの挿通孔とバネ７ｂを挿通してワイヤ１４が固定されている。このワイヤ１４のもう一端は接続板８ｂに接続されている。
従ってワイヤ１４が牽引されていない時は、係止片７ｃが溝６ａと嵌合するため、内アーム７は複数の溝６ａのいずれかの位置で外アーム６と係止される。そして、ワイヤ１４が牽引されると係止片７ｃが溝６ａから外れ、外アーム６と内アーム７とは伸縮自在となる。
また、この実施例では、図３のＡ−Ａ’の矢視断面図である図５（Ｂ）で示すように、外アーム６の円周面の溝６ａを断面歯車状に形成し、内アーム７が円周方向に回転したとき、係止片７ｃにより所定の角度で係止される構造としている。
これにより、牽引把手１２を牽引すると外アーム６と内アーム７とは伸縮自在でかつ、内アーム７は円周方向に回動自在となり、牽引把手１２を放すとバネ７ｂにより係止片７ｃが溝６ａに嵌合し、外アーム６と内アーム７とは予め決められたいずれかの溝６ａの位置で伸縮方向と円周方向が決定されて係止される。
【００１７】
仰角係止部２ｂは図３のＢ−Ｂ’、Ｃ−Ｃ’の矢視断面図である図４（Ｂ）、（Ａ）で示すように、仰角アーム８の端面と対応する摺動部９端面に円周状に設けられた断面歯車状の溝９ａと、仰角アーム８の端面に備えられ、直径方向で対向する溝９ａに対応したスリット８ｃと、図３に示すように、スリット８ｃ内をワイヤ１４の制御により摺動部９端面または仰角アーム８の内部方向に摺動して溝９ａと嵌合し、バネ８ｄにより摺動部９端面方向に付勢された係止片８ｅとから構成されている。仰角アーム８の内部には隔壁８ｆが設けられており、係止片８ｅはこの隔壁８ｆと溝９ａとの間で摺動する。またバネ８ｄは隔壁８ｆの内側と係止片８ｅの端部との間に配置されており、係止片８ｅの端部には、隔壁８ｆの挿通孔とバネ８ｄを挿通してワイヤ１４が固定されている。このワイヤ１４のもう一端は接続板８ｂに接続されている。
従ってワイヤ１４が牽引されていない時は、係止片８ｅが溝９ａと嵌合するため、仰角アーム８は摺動部９のいずれかの溝９ａの位置で係止される。そして、ワイヤ１４が牽引されると係止片８ｅが溝９ａから外れ、仰角アーム８と取付台４に固定された摺動部９とは回動自在となる。
これにより、牽引把手１２を牽引すると仰角アーム８と取付台４とは円周方向に回動自在となり、牽引把手１２を放すとバネ８ｄにより係止片８ｅが溝９ａに嵌合し、仰角アーム８と取付台４とは予め決められたいずれかの溝９ａの位置で決定される仰角で係止される。
【００１８】
内アーム７の基端部（回動アーム方向）は、外アーム６内部でバネ６ｂにより回動アーム５に張架されており、外アーム６の長手方向の中心付近で平面型表示装置３、取付台４、仰角アーム８、内アーム７の総重量と釣り合うようにバネ６ｂの特性が決められている。このため、平面型表示装置３を取り付けた状態でも伸縮のために必要な力が少なくてよいため、設置操作を容易に行なうことができる。
また、この実施例では伸縮係止部２ａと仰角係止部２ｂとをそれぞれ２カ所に設けているが、強度的に問題なければ各一カ所にしても同様な効果を得ることができる。
【００１９】
以上の構成において、つぎにその動作を図２を用いて説明する。図３（Ａ）は天井に収納した状態、（Ｂ）は伸縮アームを所定の位置に回動した状態、（Ｃ）は伸縮アームを伸張させ、さらに平面型表示装置の仰角を設定した状態を示す動作説明図である。
まず図３（Ａ）の状態で牽引把手の中に手を差し入れ、把手１３とともに握りしめ、牽引把手を牽引する。すると図６で説明したように係止爪１２ａが金属棒１ａから外れ、自重により図３（Ｂ）のように伸縮アーム２が下方に回動する。そして、把手１３と牽引把手を握りしめたまま下に引くと伸縮アーム２が図３（Ｃ）に示すように伸張する。必要な位置まで伸張させたら、次に取付台４（平面型表示装置３も含む）を必要に応じて回動させ、仰角を決定する。さらに、内アーム７の回転方向（平面型表示装置３の左右への回転）も決定し、この状態で把手１３および牽引把手から手を離すと、仰角、内アーム７の回転方向、伸張位置の３点が同時に係止される。
【００２０】
以上のように把手を握る、放すという一つの操作で天井からの取り出しと各種位置設定を行なうことができるため、平面型表示装置３の取り出しと格納とを容易に行なうことができる。
また、係止爪１２ａが金属棒１ａから外れるために必要な移動距離、伸縮の係止が外れるために必要な係止片７ｃの移動距離、仰角の係止が外れるために必要な係止片８ｅの移動距離を、この順番に長くするように構成するとよい。
これにより、牽引把手１２を徐々に握ることで前述の順に各部の係止が外れるため、設置動作に応じて必要な箇所の係止が順に外れ、より取り扱いが容易となる。
また、図示しないが、回動アームにも仰角アームと同じ構造の仰角係止部を設けて伸縮アームの回動を段階的に係止できる構造とし、この制御のためのワイヤを接続板に接続することにより、回動アームを確実に所定の角度で係止することができる。さらに、回動アームを傾斜したまま係止させ、より多彩な角度で設置可能な平面型表示装置用天吊り装置とすることができる。
【００２１】
【発明の効果】
以上説明したように、本発明による平面型表示装置用天吊り装置によれば、請求項１に係わる発明は、天井に固定された固定金具と、同固定金具に軸支された円柱形の回動アームと同回動アームから垂直に立設され、天井面と水平から垂直に回動する円筒形の外アームと同外アームの内側に回転および長手方向に摺動自在な円筒形の内アームと同内アームの先端に天井面と平行に設けられた円筒形の仰角アームとで構成される伸縮アームと、同仰角アームの両端に同仰角アームと回転自在に摺動する摺動部を備え、同摺動部が一方の面にそれぞれ固定され、他方の面に平面型表示装置の背面が取り付けられ、同平面型表示装置の仰角方向に回動する取付台とからなり、
伸縮アームに所定の伸縮位置で係止または係止の解除を行なう伸縮係止部と、仰角アームに取付台を所定の仰角で係止または係止の解除を行なう仰角係止部と、同仰角係止部と伸縮係止部とにワイヤで接続された牽引把手とを伸縮アームの先端に設け、同牽引把手の牽引で係止の解除を行ない、牽引把手の開放で係止を行なう構造により、
牽引把手を牽引する、放すという一つの操作で天井からの取り出しと、伸縮アームの伸縮と、伸縮アームの左右への回動と、取付台の仰角との各種位置設定を行なうことができるため、平面型表示装置の取り出しと設置、格納とを容易に行なうことができる。
【００２２】
請求項２に係わる発明は、固定金具に係合部と、牽引把手に同係合部と対応する係止爪とを設け、伸縮アームを収縮させるとともに、天井と平行となる位置まで回動させ、係止爪が係合部に係止されることにより伸縮アームが固定金具に係止され、また、牽引把手を牽引することにより伸縮アームが固定金具より開放される構造とすることにより、
把手を握ったまま伸縮アームが固定金具より開放されるされるため、伸縮アームが急に下方に回動したとしても、安全に作業を行なうことができる。
【００２３】
請求項３に係わる発明は、伸縮係止部を、外アームの内壁に円周状に設けられた複数の溝と、内アームに備えられ、溝に対応したスリットと、同スリット内をワイヤの制御により内アームの内周または外周方向に摺動して溝と嵌合し、バネにより内アームの外周方向に付勢された係止片とからなる構造とすることにより、
伸縮係止部の係止と、係止の解除とをワイヤの制御のみで行なうことができ、制御を伸縮係止部から離れた位置で行なうことができる。
【００２４】
請求項４に係わる発明は、外アームの円周面の溝を断面歯車状に形成し、内アームが円周方向に回転したとき、係止片により所定の角度で係止される構造とすることにより、
内アームを回動させて平面型表示装置を左右に回動したときに、所定の角度で確実に係止することができるとともに、伸縮係止部の構造をそのまま流用できるため、簡単な構造の追加のみでこの機能を追加することができる。
【００２５】
請求項５に係わる発明は、仰角係止部を、仰角アームの端面と対応する摺動部端面に円周状に設けられた断面歯車状の溝と、仰角アームの端面に備えられ、直径方向で対向する溝に対応したスリットと、同スリット内をワイヤの制御により摺動部端面または仰角アームの内部方向に摺動して溝と嵌合し、バネにより摺動部端面方向に付勢された係止片とからなる構造とすることにより、
仰角係止部の係止と、係止の解除とをワイヤの制御のみで行なうことができ、制御を仰角係止部から離れた位置で行なうことができる。
【００２６】
請求項６に係わる発明は、内アームの基端部は外アーム内部でバネにより回動アームに張架されてなる構造とすることにより、相対的に平面型表示装置の重量を軽減させ、天吊り装置の取り扱いを容易とすることができる。
【００２７】
請求項７に係わる発明は、牽引把手を人の手先が挿入される略楕円状に形成し、牽引把手を取り巻いて伸縮アームの先端に固定されたコ字型の把手を設けてなる構造とすることにより、
把手と牽引把手とを握る、放すという操作で牽引把手を制御することができるため、片手で収納装置を取り扱うことができる。
【００２８】
【図面の簡単な説明】
【図１】本発明による平面型表示装置用天吊り装置の一実施例を示す斜視図である。
【図２】本発明による平面型表示装置用天吊り装置の動作手順を示す説明図である。
【図３】本発明による平面型表示装置用天吊り装置の一実施例を示す断面図である。
【図４】本発明による平面型表示装置用天吊り装置の仰角係止部を示す要部断面図であり、（Ａ）は仰角アーム端部、（Ｂ）は摺動部である。
【図５】本発明による平面型表示装置用天吊り装置の伸縮係止部を示す要部断面図であり、（Ａ）は伸縮アーム部の縦方向断面図、（Ｂ）は伸縮アーム部の円周方向断面図である。
【図６】本発明による平面型表示装置用天吊り装置の係止爪の動作を表す要部断面図である。
【図７】従来の平面型表示装置用天吊り装置を示す斜視図である。
【符号の説明】
１　固定金具
１ａ　金属棒
２　伸縮アーム
２ａ　伸縮係止部
２ｂ　仰角係止部
３　平面型表示装置
４　取付台
５　回動アーム
５ａ　金属軸
６　外アーム
６ａ　溝
６ｂ　バネ
７　内アーム
７ａ　スリット
７ｂ　バネ
７ｃ　係止片
７ｄ　隔壁
８　仰角アーム
８ａ　隔壁
８ｂ　接続板
８ｃ　スリット
８ｄ　バネ
８ｅ　係止片
８ｆ　隔壁
９　摺動部
９ａ　溝
１０　ネジ
１１　バネ
１２　牽引把手
１２ａ　係止爪
１２ｂ　牽引棒
１３　把手
１４　ワイヤ
【図１】
2004053708.tif 000003
【図２】
2004053708.tif 000004
【図３】
2004053708.tif 000005
【図４】
2004053708.tif 000006
【図５】
2004053708.tif 000007
【図６】
2004053708.tif 000008
【図７】
2004053708.tif 000009